(57)【要約】【課題】秘密情報の流出を防止しつつプラント情報を共用可能とするプラント機器情報管理システムを提供する。【解決手段】プラント機器情報管理システムは、メンテナンスコードを生成するメンテナンスコード生成部と、メンテナンスコードに紐づく機器情報及び作業情報を記憶する第一の記憶領域及び第二の記憶領域と、プラントの管理作業に関する処理を実行する業務アプリケーションを有し、第一の記憶領域はユーザにアクセス権があり、第二の記憶領域はユーザにアクセス権がなく、業務アプリケーションは、第一の記憶領域からメンテナンスコードに紐づくユーザの機器情報及び作業情報を抽出するほか、第二の記憶領域からメンテナンスコードに紐づく共用可能な他のユーザの機器情報及び作業情報を抽出する。【選択図】図１
2020135538.tif 000002
【特許請求の範囲】
【請求項１】
複数のプラントの機器情報をＢＯＭにより管理し、前記ＢＯＭの複数の階層に対応して入力された前記機器情報にそれぞれ対応する装置コードが設定され、前記プラントに対して行う作業情報をＷＢＳにより管理し、前記ＷＢＳの複数の階層に対応して入力された前記作業情報にそれぞれ対応する作業コードが設定されるプラント機器情報管理システムであって、
前記ＢＯＭの複数の階層のうち、前記複数のプラントの全てにおいて前記機器情報が必ず入力される前記階層の中で最下層の前記機器情報に対応する前記装置コードと、前記ＷＢＳの複数の階層のうち、前記最下層の前記機器情報に直接的に紐づく前記ＷＢＳの階層の前記作業情報に対応する前記作業コードとのみに対応したメンテナンスコードを生成するメンテナンスコード生成部と、
前記メンテナンスコード、並びに、前記メンテナンスコードに紐づく前記機器情報及び前記作業情報を記憶する第一の記憶領域及び第二の記憶領域と、
前記メンテナンスコードに紐づく複数の前記ＢＯＭの階層の前記機器情報及び少なくとも前記最下層の前記機器情報に直接的に紐づく前記ＷＢＳの階層の前記作業情報を用いて、前記プラントの管理作業に関する処理を実行する業務アプリケーションと
を有し、
前記第一の記憶領域は、ユーザにアクセス権があり、
前記第二の記憶領域は、前記ユーザにアクセス権がなく、
前記業務アプリケーションは、前記ユーザに対する前記処理を実行する場合、前記第一の記憶領域から前記メンテナンスコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコードに紐づく前記最下層の前記機器情報及び前記最下層の前記機器情報に直接的に紐づく前記ＷＢＳの階層の前記作業情報を抽出すること
を特徴とするプラント機器情報管理システム。
【請求項２】
同一の前記メンテナンスコードに紐づく前記機器情報及び前記作業情報に対応する関連情報の文字列を分析する関連情報分析部と、
前記関連情報分析部が分析した前記文字列のうち、特定の文字列に対応したグループコードを生成し且つ前記グループコードを前記同一のメンテナンスコードに紐づく前記機器情報及び前記作業情報に紐づけるグループコード生成部と
をさらに有し、
前記業務アプリケーションは、前記グループコードに紐づく前記機器情報及び前記作業情報を抽出すること
を特徴とする請求項１に記載のプラント機器情報管理システム。
【請求項３】
第一の前記グループコードに対応する前記特定の文字列と第二の前記グループコードに対応する前記特定の文字列とが互いに異なり且つ互いの意味が同一である場合、共通グループコードを生成し且つ前記共通グループコードを前記第一及び第二のグループコードに紐づく前記機器情報及び前記作業情報に紐づける共通グループコード生成部
をさらに有し、
前記業務アプリケーションは、前記共通グループコードに紐づく前記機器情報及び前記作業情報を抽出すること
を特徴とする請求項２に記載のプラント機器情報管理システム。
【請求項４】
前記ユーザは第一の業者であり、
前記第一の記憶領域には、前記第一の業者が受注した又は受注予定の顧客の前記プラントに対応する前記機器情報及び前記作業情報が記憶され、
前記第二の記憶領域には、第二の業者が受注した又は受注予定の前記顧客の前記プラントに対応する前記機器情報及び前記作業情報が記憶され、
前記業務アプリケーションは、前記第一の業者の前記管理作業を実行する場合、前記第一の記憶領域から前記メンテナンスコード、前記グループコード、または前記共通グループコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコード、前記グループコード、または前記共通グループコードに紐づく前記最下層の前記機器情報及び前記最下層の前記機器情報に直接的に紐づく前記ＷＢＳの階層の前記作業情報を抽出すること
を特徴とする請求項３に記載のプラント機器情報管理システム。
【請求項５】
前記ユーザは第一の顧客であり、
前記第一の記憶領域には、業者が受注した又は受注予定の前記第一の顧客の前記プラントに対応する前記機器情報及び前記作業情報が記憶され、
前記第二の記憶領域には、前記業者が受注した又は受注予定の第二の顧客の前記プラントに対応する前記機器情報及び前記作業情報が記憶され、
前記管理作業は閲覧作業を含み、
前記業務アプリケーションは、前記第一の顧客の前記閲覧作業を実行する場合、前記第一の記憶領域から前記メンテナンスコード、前記グループコード、または前記共通グループコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコード、前記グループコード、または前記共通グループコードに紐づく前記最下層の前記機器情報及び前記最下層の前記機器情報に直接的に紐づく前記ＷＢＳの階層の前記作業情報を抽出すること
を特徴とする請求項３に記載のプラント機器情報管理システム。
【請求項６】
前記業務アプリケーションは、保全計画を作成する保全計画作成部であること
を特徴とする請求項１から請求項５のいずれか一項に記載のプラント機器情報管理システム。
【発明の詳細な説明】
【技術分野】
【０００１】
本発明は、プラント機器情報管理システムに関する。
【背景技術】
【０００２】
ごみ焼却炉等のプラントでは、プラントを構成する設備、機器、並びに部品に関する情報（以下、「機器情報」という）が多く存在し、また、プラントを運用または保守するために必要な作業に関する情報（以下、「作業情報」という）が多く存在する。これら機器情報や作業情報を含むプラント情報を管理するため、ＢＯＭ(Bill Of Materials)やＷＢＳ(Work Breakdown Structure)などの管理手法が用いられる。ＢＯＭは、機器情報を階層的な構造に細分化した一覧情報であり、ＷＢＳは、作業情報を階層的な構造に細分化した一覧情報である。このように、ＢＯＭとＷＢＳは、互いに関係のない別箇の一覧情報であるように見えるが、プラントを運用する場面では、例えば、ＢＯＭのある階層の機器情報に対して、ＷＢＳのある階層のある作業情報を紐づけ、プラントの管理を行うことができる。
【０００３】
特許文献１には、ＢＯＭの複数の階層のうち、複数のプラントの全てにおいて機器情報が必ず入力される階層の中で最下層の機器情報に対応する装置コードと、ＷＢＳの複数の階層のうち、最下層の機器情報に直接的に紐づくＷＢＳの階層の作業情報に対応する作業コードとのみに対応した「メンテナンスコード（ＣＯＭ）」を使用して、複数のプラントのプラント情報を容易に検索・抽出・比較できるプラント機器情報管理システムが開示されている。
【先行技術文献】
【特許文献】
【０００４】
【特許文献１】特許第６４１３０４０号公報
【発明の概要】
【発明が解決しようとする課題】
【０００５】
特許文献１に記載のプラント機器情報管理システムを複数のユーザ（業者または顧客）で共用する場合、同一のシステムを使用するので、プラント情報のコード化のルールや、メンテナンスコードの生成のルールが同一となる。従って、あるユーザがメンテナンスコードを用いてプラント情報を抽出すると、他のユーザのプラント情報も併せて抽出され、当該他のユーザの秘密情報が流出する恐れがある。
一方、プラント情報には、秘密情報のみならず、複数のユーザで共用可能（秘密情報でない）且つ有益な情報も含まれている。
このため、秘密情報の流出を防止しつつ、プラント情報を共用することができるプラント機器情報管理システムの開発が望まれてきた。
【０００６】
そこで、本発明は、秘密情報の流出を防止しつつプラント情報を共用可能とするプラント機器情報管理システムを提供することを目的とする。
【課題を解決するための手段】
【０００７】
本発明のプラント機器情報管理システムは、複数のプラントの機器情報をＢＯＭにより管理し、前記ＢＯＭの複数の階層に対応して入力された前記機器情報にそれぞれ対応する装置コードが設定され、前記プラントに対して行う作業情報をＷＢＳにより管理し、前記ＷＢＳの複数の階層に対応して入力された前記作業情報にそれぞれ対応する作業コードが設定されるプラント機器情報管理システムであって、前記ＢＯＭの複数の階層のうち、前記複数のプラントの全てにおいて前記機器情報が必ず入力される前記階層の中で最下層の前記機器情報に対応する前記装置コードと、前記ＷＢＳの複数の階層のうち、前記最下層の前記機器情報に直接的に紐づく前記ＷＢＳの階層の前記作業情報に対応する前記作業コードとのみに対応したメンテナンスコードを生成するメンテナンスコード生成部と、前記メンテナンスコード、並びに、前記メンテナンスコードに紐づく前記機器情報及び前記作業情報を記憶する第一の記憶領域及び第二の記憶領域と、前記メンテナンスコードに紐づく複数の前記ＢＯＭの階層の前記機器情報及び少なくとも前記最下層の前記機器情報に直接的に紐づく前記ＷＢＳの階層の前記作業情報を用いて、前記プラントの管理作業に関する処理を実行する業務アプリケーションとを有し、前記第一の記憶領域は、ユーザにアクセス権があり、前記第二の記憶領域は、前記ユーザにアクセス権がなく、前記業務アプリケーションは、前記ユーザに対する前記処理を実行する場合、前記第一の記憶領域から前記メンテナンスコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコードに紐づく前記最下層の前記機器情報及び前記最下層の前記機器情報に直接的に紐づく前記ＷＢＳの階層の前記作業情報を抽出することを特徴とする。
【０００８】
この構成によれば、プラント情報を抽出する際、システムを使用するユーザに応じて、プラント情報を異ならせて抽出する。例えば、あるユーザがプラント機器情報管理システムを使用した際、自己がアクセス権を持つプラント情報に加え、自己に原則としてアクセス権のない他のユーザのプラント情報のうち共用可能な一部のプラント情報が例外として抽出される。
従って、秘密情報の流出を防止しつつプラント情報を共用可能とするプラント機器情報管理システムを提供することができる。
【０００９】
本発明のプラント機器情報管理システムは、同一の前記メンテナンスコードに紐づく前記機器情報及び前記作業情報に対応する関連情報の文字列を分析する関連情報分析部と、前記関連情報分析部が分析した前記文字列のうち、特定の文字列に対応したグループコードを生成し且つ前記グループコードを前記同一のメンテナンスコードに紐づく前記機器情報及び前記作業情報に紐づけるグループコード生成部とをさらに有し、前記業務アプリケーションは、前記グループコードに紐づく前記機器情報及び前記作業情報を抽出してもよい。
この構成によれば、同一のメンテナンスコードに紐づく複数のプラント情報のうち、グループコードに紐づくプラント情報に絞り込んで抽出することができる。
従って、秘密情報の流出を防止しつつプラント情報を共用可能とするプラント機器情報管理システムでありながら、プラント情報をより効率良く抽出することができるので管理作業の実行時間を短縮し、作業効率を改善したプラント機器情報管理システムを提供することができる。
【００１０】
本発明のプラント機器情報管理システムは、第一の前記グループコードに対応する前記特定の文字列と第二の前記グループコードに対応する前記特定の文字列とが互いに異なり且つ互いの意味が同一である場合、共通グループコードを生成し且つ前記共通グループコードを前記第一及び第二のグループコードに紐づく前記機器情報及び前記作業情報に紐づける共通グループコード生成部をさらに有し、前記業務アプリケーションは、前記共通グループコードに紐づく前記機器情報及び前記作業情報を抽出してもよい。
この構成によれば、異なるグループコードが紐づけられたプラント情報であっても、共通グループコードによって、互いに同じグループコードとみなして取り扱うことができる。
従って、秘密情報の流出を防止しつつプラント情報を共用可能とするプラント機器情報管理システムでありながら、プラント情報をより効率良く抽出するのみならず、必要なプラント情報の欠落を防止することができるので、作業効率をより改善したプラント機器情報管理システムを提供することができる。
【００１１】
本発明のプラント機器情報管理システムにおいて、前記ユーザは第一の業者であり、前記第一の記憶領域には、前記第一の業者が受注した又は受注予定の顧客の前記プラントに対応する前記機器情報及び前記作業情報が記憶され、前記第二の記憶領域には、第二の業者が受注した又は受注予定の前記顧客の前記プラントに対応する前記機器情報及び前記作業情報が記憶され、前記業務アプリケーションは、前記第一の業者の前記管理作業を実行する場合、前記第一の記憶領域から前記メンテナンスコード、前記グループコード、または前記共通グループコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコード、前記グループコード、または前記共通グループコードに紐づく前記最下層の前記機器情報及び前記最下層の前記機器情報に直接的に紐づく前記ＷＢＳの階層の前記作業情報を抽出してもよい。
この構成によれば、第一の業者は、管理作業を行う際、自己のプラント情報だけでなく、第二の業者のプラント情報のうち共用可能なプラント情報を参考にできる。
従って、秘密情報の流出を防止しつつプラント情報を共用可能とするプラント機器情報管理システムでありながら、管理作業の質及び効率を改善可能なプラント機器情報管理システムを提供することができる。
【００１２】
本発明のプラント機器情報管理システムにおいて、前記ユーザは第一の顧客であり、前記第一の記憶領域には、業者が受注した又は受注予定の前記第一の顧客の前記プラントに対応する前記機器情報及び前記作業情報が記憶され、前記第二の記憶領域には、前記業者が受注した又は受注予定の第二の顧客の前記プラントに対応する前記機器情報及び前記作業情報が記憶され、前記管理作業は閲覧作業を含み、前記業務アプリケーションは、前記第一の顧客の前記閲覧作業を実行する場合、前記第一の記憶領域から前記メンテナンスコード、前記グループコード、または前記共通グループコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコード、前記グループコード、または前記共通グループコードに紐づく前記最下層の前記機器情報及び前記最下層の前記機器情報に直接的に紐づく前記ＷＢＳの階層の前記作業情報を抽出してもよい。  
この構成によれば、第一の顧客は、閲覧作業を行う際、自己のプラント情報だけでなく、第二の顧客のプラント情報のうち共用可能なプラント情報を参考に、業者の見積提案等を比較検討できる。
従って、秘密情報の流出を防止しつつプラント情報を共用可能とするプラント機器情報管理システムでありながら、顧客による業者選定作業の効率を改善可能なプラント機器情報管理システムを提供することができる。
【００１３】
本発明のプラント機器情報管理システムにおいて、前記業務アプリケーションは、保全計画を作成する保全計画作成部であってもよい。
【発明の効果】
【００１４】
本発明のプラント機器情報管理システムによれば、秘密情報の流出を防止しつつ、プラント情報を共用可能とすることができる。
【図面の簡単な説明】
【００１５】
【図１】本発明の実施形態であるプラント機器情報管理システム１０を示す図である。
【図２】図１の業務アプリケーション部１２の各処理部１２１〜１２８における各管理作業の処理フローを示す図である。
【図３】図１で示す業務アプリケーション部１２の各処理部１２１〜１２８でそれぞれ使用される機器情報、作業情報、及び関連情報を示した一覧表である。
【図４】メンテナンスコード生成部１２０におけるメンテナンスコードの生成方法を説明する図である。
【図５】関連情報分析部１２９による関連情報の分析結果の表示例を示す図である。
【図６】本発明におけるグループコード及び共通グループコードの紐づけの例を示す図である。
【図７】図１の保全計画作成部１２８によるプラント情報の表示例である。
【図８】図１の保全計画作成部１２８によるプラント情報の表示例である。
【図９】図１の保全計画作成部１２８によるプラント情報の表示例である。
【発明を実施するための形態】
【００１６】
＜実施形態＞
以下、本発明の実施形態であるプラント機器情報管理システムを図１〜図９を参照して説明する。
図１は、実施形態のプラント機器情報管理システム１０を示す図である。プラント機器情報管理システム１０（以下、「管理システム１０」という）は、ごみ焼却炉などのプラントのプラント情報（機器情報、作業情報、またはそれらに関連するその他の情報（以下、「関連情報」という））を電子的に管理するシステムである。
管理システム１０は、１台または複数台のパソコン（パーソナルコンピュータまたはＰＣ（personal computer）という）、タブレット等の携帯端末、またはサーバ装置等のコンピュータによって構成される。
図１に示す管理システム１０は、例として、クラウド・コンピューティングによって構成される。従って、ここでは、管理システム１０は、物理的、地理的に離れた場所に配置された複数のサーバ装置（業務アプリケーション部１２、記憶部１３、共通グループコード生成部１４）と、有線または無線によってそれらにインターネットを介してアクセスするパソコンまたはタブレット等の入出力部１１で構成される。
管理システム１０は、運営業者が保守・管理し、運営業者と契約したユーザのみが、運営業者からアクセス権を付与され、プラントの管理作業を行うことができる。ここでは、ユーザは、プラントを保有等して事業を行う「顧客」と、顧客からプラントの新規建設や既存のプラントのメンテナンス等の工事を受注する「業者」であるとして説明する。なお、運営業者は、ユーザではない。
図１の管理システム１０のうち、入出力部１１は、運営業者がユーザに貸与してもよいし、ユーザ所有であってもよい。
図１では、管理システム１０をクラウド・コンピューティングで実現しているが、所定のプログラム及びデータを１台のパソコンやタブレット型の携帯端末にインストールすることができれば、当該パソコンや携帯端末のみで管理システム１０を構成できる。この場合には、管理システム１０の秘密情報の流出を防止するため、運営業者が当該パソコンや携帯端末をユーザに貸与するのが望ましい。
管理システム１０は、管理対象となる複数のプラントの機器情報をＢＯＭにより管理し、作業情報をＷＢＳにより管理する。また、管理システム１０は、ＢＯＭとＷＢＳを互いに紐づけて管理する。さらに、管理システム１０は、地理的、機能的に異なる複数のプラントのプラント情報を一律に管理する。このため、ある１つのプラントのＢＯＭ及びＷＢＳの階層数と、他のプラントのＢＯＭ及びＷＢＳの階層数が異なる場合がありうる。
本実施形態では、例として、取扱う全てのプラントの中で、ＢＯＭの階層が最大であるのはＢＯＭレベル５（BOM Lv.5）まで機器情報が存在するプラントであり、また、ＷＢＳの階層が最大であるのはＷＢＳレベル３（WBS Lv.3）まで作業情報が存在するプラントであるとして、管理システム１０の説明を行う。図３で、ＢＯＭはＢＯＭレベル５まで、ＷＢＳはＷＢＳレベル３までの記載となっているのは、この理由による。
【００１７】
管理システム１０は、上述のように、入出力部１１（入出力部１１−１〜１１−４）と、業務アプリケーション部１２と、記憶部１３と、共通グループコード生成部１４を備える。
入出力部１１は、図示しない入力部と出力部（表示部）を備えており、ユーザ（業者または顧客）がキーボードやタッチパネル等の入力部を用いてプラント情報を入力することができる。また、モニタ等の出力部へプラント情報を出力・表示する。入出力部１１は、例えば、キーボード（入力部）とモニタ（出力部）を備えたパソコンや、入力部と出力部が一体に形成されたタブレット型等の携帯端末でよい。
以下、説明の簡便のため、入出力部１１の入力部に入力することを「入出力部１１に入力する」といい、入出力部１１の出力部（表示部）へ表示することを、「入出力部１１に表示する」という。
ここでは、プラントの新設や保守（メンテナンス）を行う複数の業者と、プラントを利用して事業を行う複数の事業者（顧客）が管理システム１０を利用する例を説明するので、各業者（業者１、業者２）、各顧客（顧客Ａ、顧客Ｂ）の各々に、それぞれ専用の入出力部１１（１１−１〜１１−４）が用意されている。すなわち、管理システム１０を使用する際、業者１は入出力部１１−１で入出力を行い、業者２は入出力部１１−２で入出力を行い、顧客Ａは入出力部１１−３で入出力を行い、顧客Ｂは入出力部１１−４で入出力を行う。
なお、ここでは複数の専用の入出力部１１を用意したが、パスワード等でアクセス管理を行う場合には、１つの入出力部１１を複数のユーザで共用してもよい。また、図１では、複数業者の数が２、顧客の数が２の例を示したが、これに限らず、２以上の業者や顧客が存在してもよい。
【００１８】
業務アプリケーション部１２は、プラントの管理作業に関する処理を行うための複数の処理部を備えている。具体的には、業務アプリケーション部１２は、処理部として、メンテナンスコード生成部１２０と、グループコード生成部１２Ａと、客先機器台帳作成部１２１と、工程表作成部１２２と、見積作成部１２３と、工事仕様書作成部１２４と、工事報告書作成部１２５と、工事日報作成部１２６と、保全履歴作成部１２７と、保全計画作成部１２８と、関連情報分析部１２９を備えている。これら各処理部の処理の詳細については、後述する。
【００１９】
なお、後述するが、メンテナンスコード生成部１２０が生成するメンテナンスコードＣＯＭ（ＣＯＭは、Code Of Maintenanceの略）と、グループコード生成部１２Ａが生成するグループコードＰＡＲＥは、検索コードの一種であり、本発明の重要な構成要素の一つである。グループコードＰＡＲＥは、特定のメンテナンスコードＣＯＭに紐づけられた複数のプラント情報のうち、その一部のプラント情報に紐づけられる。従って、これら２つのコードの一方または両方を適宜用いることで、複数のプラントが管理対象である場合に、ユーザによるプラント情報の入力の負荷を低減し、高い確度で所望のプラント情報を検索・抽出・比較することができる。
グループコードを“ＰＡＲＥ”と名付けたのは、次の理由による。まず、“ＰＡＲＥ”は英語で「余分なところを削る」意味を持ち、検索コードの一種として不要な情報を削り取り、必要な情報のみ抽出する点で、複数のプラント情報の比較を行う管理システム１０において、名前として適切であると発明者は考えたからである。また、グループコードＰＡＲＥは、メンテナンスコードＣＯＭと高い相関を持ち、“ＣＯＭ”と“ＰＡＲＥ”を合わせれば“ＣＯＭＰＡＲＥ”（英語で「比較」を意味）となり、複数のプラント情報の比較を行う管理システム１０において、やはり名前として適切であると発明者は考えたからである。
【００２０】
記憶部１３は、業務アプリケーション部１２で処理されたプラント情報を記憶する。記憶部１３は、客先機器台帳作成部１２１で処理されたプラント情報とメンテナンスコード生成部１２０が生成したメンテナンスコードＣＯＭが記憶・保存される客先ＢＯＭ・ＷＢＳＤＢ１３１と、工程表作成部１２２で処理されたプラント情報が記憶・保存される工事予定ＤＢ１３２と、見積作成部１２３で処理されたプラント情報が記憶・保存される見積ＤＢ１３３と、工事仕様書作成部１２４で処理されたプラント情報が記憶・保存される発注コストＤＢ１３４と、工事報告書作成部１２５で処理されたプラント情報が記憶・保存される機器点検・計測記録ＤＢ１３５と、工事日報作成部１２６で処理されたプラント情報が記憶・保存される工事実績ＤＢ１３６と、保全履歴作成部１２７で処理されたプラント情報が記憶・保存される工事履歴ＤＢ１３７と、保全計画作成部１２８で処理されたプラント情報が記憶・保存される将来工事計画ＤＢ１３８を備えている。すなわち、業務アプリケーション部１２の各処理部のうち、グループコード生成部１２Ａと関連情報分析部１２９を除く他の各処理部１２０〜１２８にそれぞれ個別に対応したＤＢが設けられている。
【００２１】
また、記憶部１３は、業者１が顧客Ａから受注した作業又は受注予定（見積提示予定）の作業の対象となるプラントに対応するプラント情報が格納される記憶領域１と、業者２が顧客Ａから受注した作業又は受注予定（見積提示予定）の作業の対象となるプラントに対応するプラント情報が格納される記憶領域２と、業者１が顧客Ｂから受注した作業又は受注予定（見積提示予定）の作業の対象となるプラントに対応するプラント情報が格納される記憶領域３と、業者２が顧客Ｂから受注した作業又は受注予定（見積提示予定）の作業の対象となるプラントに対応するプラント情報が格納される記憶領域４を備える。各記憶領域１〜４は、それぞれＤＢ１３１〜１３８を備える。
なお、「ＤＢ」はデータベースを意味する。各記憶領域１〜４のＤＢ１３１〜１３８は、各々が別箇の記憶装置であってもよいし、１つの記憶装置内の異なる記憶領域であってもよい。また、各記憶領域１〜４または各記憶領域１〜４のＤＢ１３１〜１３８は、有線または無線で、インターネット等を介して業務アプリケーション部１２、共通グループコード生成部１４、及び入出力部１１に接続されるのであれば、互いに地理的・空間的に分かれて存在してもよい。
【００２２】
各記憶領域には、それぞれに対応する特定のユーザ（特定の顧客及び特定の業者）のアカウント情報（アカウント、ID（identification）、パスワード、等）が格納されており、それぞれに対応するユーザのみがアクセス権を持つ。従って、ユーザは、原則としてアクセス権を持つ所定の記憶領域にアクセスすることができる。例えば、図１では、記憶領域１に対して、原則として業者１と顧客Ａのみがアクセスでき、記憶領域２に対して、原則として業者２と顧客Ａのみがアクセスでき、記憶領域３に対して、原則として業者１と顧客Ｂのみがアクセスでき、記憶領域４に対して、原則として業者２と顧客Ｂのみがアクセスすることができる。
なお、ここでは、記憶領域の数は４としているが、ユーザの数に応じて適宜変更可能である。言い換えれば、ユーザの数に応じて、記憶領域の数を４未満としてもよいし、５以上としてもよい。
ただし、上述した原則に対して例外がある。第一の例外として、管理システム１０の運営業者は、当該システムの保守及び管理を行うため、全ての記憶領域のみならず、業務アプリケーション部１２及び共通グループコード生成部へアクセスできる。
また、後述するように、いずれの記憶領域であっても、共用可能な一部のプラント情報については、第二の例外として、運営業者と契約してアカウント情報を取得し、管理システム１０へのアクセス権を持つ全てのユーザがアクセス可能である。ただし、ここでは、第二の例外のアクセスが可能となるのは、業務アプリケーション部１２の各処理部１２１〜１２８の各処理（Ｓ１１〜Ｓ１８）うち、保全計画作成部１２８による保全計画の作成処理Ｓ１８のみであるとして話を進める。例えば、顧客による競争入札が行われる際に、見積作成部１２３等の処理部で第二の例外のアクセスを可能としてある業者が自己以外の業者の見積価格等の概要を知ることは、現在のルール上、許されないからである。
もちろん、ルール上許されない場合を除き、運営業者の方針や全てのユーザの総意によって、他の処理（Ｓ１１〜Ｓ１７）のいずれかにおいて、第二の例外のアクセスを可能としてもよい。
【００２３】
共通グループコード生成部１４は、共通グループコードＶＩＳ（Visualized InStinct）を生成して、複数の異なるグループコードＰＡＲＥの各々に紐づいたプラント情報を互いに紐づける。異なるグループコード間のプラント情報を所定のルールに基づいて紐づけるため、「人の直感を見える化」していると発明者は考え、“ＶＩＳ”と名付けた。共通グループコードＶＩＳは、メンテナンスコードＣＯＭやグループコードＰＡＲＥと同様、検索コードの一種である。共通グループコード生成部１４及び共通グループコードＶＩＳについては、後述する。
【００２４】
では、業務アプリケーション部１２の各処理部１２１〜１２８の処理を、図１、図２及び図３を用いて、詳細に説明する。図２は、業務アプリケーション部１２の各処理部１２１〜１２８における各管理作業の処理流れ（処理フロー）を示す図である。図３は、各処理部１２１〜１２８でそれぞれ使用される機器情報及び作業情報を、対応するＢＯＭレベルまたはＷＢＳレベルごとに示した表である。
なお、図３で「-」が記載された項目は、それに対応する処理部では使用されない項目であるので、その項目及びその項目を入力するための入力欄は、入出力部１１に表示されない。しかし、各処理部に個別に対応して設けられたＤＢには、その上流の処理部における処理でプラント情報の入力がなされていれば、「-」が記載された項目のプラント情報も当該ＤＢに記憶・保存されているので、ユーザが当該項目の表示を希望する場合、自己のプラント情報または共用可能なプラント情報であれば、適宜選択することで、当該項目を表示することができる。
また、グループコード生成部１２Ａと関連情報分析部１２９は、以下に説明する各処理のうち、客先機器台帳の作成処理Ｓ１１を除く他の処理Ｓ１２〜Ｓ１８において、グループコードＰＡＲＥを生成する場合に、適宜、工程表作成部１２２、見積作成部１２３、工事仕様書作成部１２４、工事報告書作成部１２５、工事日報作成部１２６、保全履歴作成部１２７、または保全計画作成部１２８が使用する処理部である。
さらに、業務アプリケーション部１２の各処理部１２１〜１２８は、ユーザが入力したプラント情報を所定のルールに従ってコード化し、対応する記憶部１３に記憶・保存する。例えば、業務アプリケーション部１２は、ＢＯＭの複数の階層に対応して入力された機器情報に対して、それぞれ対応する装置コードを設定し、ＷＢＳの複数の階層に対応して入力された作業情報に対して、それぞれ対応する作業コードを設定する。
以下の処理フローの説明では、各処理部１２１〜１２８の処理の説明の際に、メンテナンスコード生成部１２０の処理と、グループコード生成部１２Ａ及び関連情報分析部１２９の処理を併せて説明する。
【００２５】
（客先機器台帳の作成処理Ｓ１１）
まず、客先機器台帳作成部１２１は、ユーザが使用する入出力部１１に「客先機器台帳画面」を表示する。客先機器台帳作成部１２１は、記憶部１３の各記憶領域１〜４のうち、ユーザのアカウント情報に基づいて当該ユーザがアクセス権を持ち原則としてアクセス可能な所定の記憶領域に未だ対応するプラント情報が記憶・保存されていない新規のプラントについて、客先機器台帳の作成処理Ｓ１１を実行する。「客先機器台帳画面」には、客先機器台帳の作成処理Ｓ１１で、ユーザが入出力部１１から入力する複数の項目の入力欄が表示される。
具体的には、図３の「客先機器台帳の作成処理（Ｓ１１）」の欄に示すように、機器情報である客先設備名（ＢＯＭレベル１）、客先機器名または機器仕様（ＢＯＭレベル２）、機器仕様分類、客先機器詳細名、機器詳細仕様、または系列（ＢＯＭレベル３）、客先機器部分名または部分仕様（ＢＯＭレベル４）、客先機器部品名または部品仕様（ＢＯＭレベル５）、並びに、作業情報である作業属性または客先実施項目名（ＷＢＳレベル１）及び客先作業詳細名（ＷＢＳレベル２）を入出力部１１から入力するための入力欄を、客先機器台帳作成部１２１が入出力部１１に表示する。客先機器台帳作成部１２１は、ユーザが入出力部１１へ入力した情報を使用して、新規プラントのプラント情報の台帳（マスタデータ）を電子的に作成する。当該台帳においては、後述するように、メンテナンスコードＣＯＭ、ＢＯＭの機器情報、ＷＢＳの作業情報、及び関連情報が互いに紐づけられている。
【００２６】
ここで、「客先機器台帳画面」には、客先機器台帳の作成処理Ｓ１１で入力される項目として、ＢＯＭレベル１からＢＯＭレベル５の機器情報、ＷＢＳレベル１、２の作業情報に対応する入力欄が表示されるが、取扱う全てのプラントにおいて必ず機器情報が入力されるのはＢＯＭレベル１からＢＯＭレベル３までであり、取扱う全てのプラントで必ず作業情報が入力されるのはＷＢＳレベル１までであるとして説明を進める。すなわち、取扱う全てのプラントの中には、ＢＯＭレベル４、ＢＯＭレベル５の機器情報を入力する必要のないプラントや、ＷＢＳレベル２の作業情報を入力する必要のないプラントが存在しうる。
そして、客先機器台帳作成部１２１は、ユーザが「客先機器台帳画面」で入力したプラント情報を、ユーザがアクセス権を持つ適切な記憶領域の客先ＢＯＭ・ＷＢＳＤＢ１３１へ記憶・保存する。例えば、図１において、ユーザが「業者１」、新規のプラントが「顧客Ａ」のプラントである場合、客先機器台帳作成部１２１は、記憶領域１の客先ＢＯＭ・ＷＢＳＤＢ１３１へ、「客先機器台帳画面」にユーザが入力したプラント情報の記憶・保存を行う。
【００２７】
なお、上記「系列」（ＢＯＭレベル３）は、同型の複数の装置や機器が配置される場合に、これらを区別する情報である。炉の場合には、「号炉」情報ともいわれ、これに対応する装置コードは号炉コードともいわれる。例えば、１つのごみ焼却プラントに、複数のごみ焼却炉が設けられる場合には、各ごみ焼却炉を区別するため、それぞれ異なる号炉コードが設定される。
【００２８】
（メンテナンスコードＣＯＭの生成処理）
メンテナンスコード生成部１２０は、「客先機器台帳画面」で入力された機器情報及び作業情報に対応した装置コード及び作業コードの特定の組み合わせに対応させて、検索コードの一種であるメンテナンスコードＣＯＭを生成する。具体的には、ＢＯＭの複数の階層のうち、複数のプラントの全てにおいて機器情報が必ず入力される階層の中で最下層の機器情報に対応する装置コード（本実施形態では、ＢＯＭレベル３の機器情報に対応する装置コード）と、ＷＢＳの複数の階層のうち、上記最下層の機器情報に直接的に紐づくＷＢＳの階層の作業情報に対応する作業コード（本実施形態では、ＷＢＳレベル１の作業情報に対応する作業コード）とのみに対応して、メンテナンスコード生成部１２０が、メンテナンスコードＣＯＭを生成する。
そして、生成されたメンテナンスコードＣＯＭは、客先機器台帳作成部１２１が、「客先機器台帳画面」で入力したプラント情報に紐づけて、客先ＢＯＭ・ＷＢＳＤＢ１３１へ記憶・保存する。なお、メンテナンスコードＣＯＭと当該プラント情報の紐づけは、客先機器台帳作成部１２１ではなく、メンテナンスコード生成部１２０が行ってもよい。
以下に詳細を述べる。
【００２９】
図４は、メンテナンスコードＣＯＭの生成方法を説明するための簡略図である。図４（ａ）に、プラント名「プラントα」のＢＯＭの各階層の機器情報の一例を示す。
例えば、プラントαは、ＢＯＭレベル１の機器情報である「設備１」及び「設備２」で構成される。設備１は、ＢＯＭレベル２の機器情報である「機器Ａ」と「機器Ｂ」にそれぞれ紐づく。設備２は、ＢＯＭレベル２の機器情報である「機器Ｃ」に紐づく。
機器Ａは、ＢＯＭレベル３の機器情報である「機器詳細１」と「機器詳細２」にそれぞれ紐づく。機器Ｂは、ＢＯＭレベル３の機器情報である「機器詳細３」に紐づく。機器Ｃは、ＢＯＭレベル３の機器情報である「機器詳細４」に紐づく。
機器詳細１は、ＢＯＭレベル４の機器情報である「部位１」に紐づき、さらに部位１は、ＢＯＭレベル５の機器情報である「部品１」に紐づく。
なお、機器詳細２、機器詳細３、及び機器詳細４に紐づくＢＯＭレベル４またはそれより深い階層の機器情報は存在しない。
ここで、ＢＯＭレベル１〜３の機器情報は、管理システム１０で管理するいずれのプラントにおいても必ず入力される情報である。ＢＯＭレベル４〜５の機器情報は、ＢＯＭレベル１〜３に入力される機器情報の種類やプラントの特性によって、入力の要否が分かれる情報である。なお、ユーザによる入力が必須であるＢＯＭの階層は、ここではＢＯＭレベル１〜３としたが、これは一例であり、管理システム１０の仕様によって、入力を必須とする階層の数を適宜設定してよい。例えば、ＢＯＭレベル１、２の２階層を、入力が必須の階層に設定してもよい。また、ＢＯＭは、ＢＯＭレベル５よりも深い階層（例えば、ＢＯＭレベル６、ＢＯＭレベル７、・・・など）を有していてもよい。
【００３０】
図４（ｂ）に、プラントαのＷＢＳの各階層の作業情報の一例を示す。ＷＢＳレベル１の作業情報である「作業１」は、ＷＢＳレベル２の作業情報である「作業明細Ａ」と「作業明細Ｂ」にそれぞれ紐づく。ＷＢＳレベル１の作業情報である「作業２」は、ＷＢＳレベル２の作業情報である「作業明細Ｃ」に紐づく。作業明細Ａは、ＷＢＳレベル３の作業情報である「作業詳細１」に紐づく。作業明細Ｂ及び作業明細Ｃに紐づくＷＢＳレベル３またはそれより深い階層の作業情報は存在しない。
ここで、ＷＢＳレベル１の作業情報は、管理システム１０で管理するいずれのプラントにおいても必ず入力する情報である。ＷＢＳレベル２〜３の作業情報は、ＷＢＳレベル１に入力される作業情報の種類やプラントの特性によって、入力の要否が分かれる情報である。なお、ユーザによる入力が必須であるＷＢＳの階層は、ここではＷＢＳレベル１としたが、これは一例であり、管理システム１０の仕様によって、入力を必須とする階層の数を適宜設定してよい。例えば、ＷＢＳレベル１、２の２階層を、入力が必須の階層に設定してもよい。また、ＷＢＳは、ＷＢＳレベル３よりも深い階層（例えば、ＷＢＳレベル４、ＷＢＳレベル５、・・・など）を有していてもよい。
【００３１】
図４（ａ）及び図４（ｂ）で示したプラントαのＢＯＭとＷＢＳは、図４（ｃ）に示すように、互いに紐づけられる。すなわち、管理システム１０で管理する全てのプラントにおいて入力が必須のＢＯＭの階層（この例では、ＢＯＭレベル１〜３）のうち、最下層であるＢＯＭレベル３の機器情報に、同様に入力が必須のＷＢＳの階層（この例では、ＷＢＳレベル１）のうち、ＢＯＭレベル３の機器情報に直接的に紐づく階層であるＷＢＳレベル１の作業情報が紐づけられる。図４（ｃ）では、ＢＯＭレベル３の機器情報である「機器詳細１」に、ＷＢＳレベル１の作業情報である「作業１」が紐づけられている。
なお、ＷＢＳの階層の中で、ＢＯＭレベル３の機器情報に「直接的に紐づく」階層の作業情報とは、上記最下層であるＢＯＭレベル３の機器情報に対して実施されうる作業情報が複数存在するＷＢＳの階層の中で、最上層の作業情報を意味する。従って、ＢＯＭ３レベルの複数の機器情報に対して、ＷＢＳレベル１の作業情報が複数存在せず、ただ一つの作業情報しかない場合、ＷＢＳレベル１は上記「直接的に紐づく」階層とはならない。例えば、仮に、図４（ｂ）でＷＢＳレベル１の作業情報が唯一「作業１」だけで「作業２」が存在しない場合、ＷＢＳの階層の中で、ＢＯＭレベル３の機器情報に直接的に紐づく階層は、ＷＢＳレベル１ではなくＷＢＳレベル２になりうる。
【００３２】
次に、図４（ｃ）に示すように、図４（ａ）及び図４（ｂ）のＢＯＭの各階層の機器情報及びＷＢＳの各階層の作業情報は、プラント名「プラントα」のプラント情報に関するものであるので、プラントαが、これらに紐づけられる。
さらに、図４（ｃ）に示すように、プラントαの機器情報である「機器詳細１」及びプラントαの作業情報である「作業１」にのみに対応するメンテナンスコードＣＯＭが、メンテナンスコード生成部１２０により生成され、同様に、ＢＯＭの各階層の機器情報及びＷＢＳの各階層の作業情報に紐づけられる。メンテナンスコードＣＯＭは、例えば、「機器詳細１」をユーザが入力した場合にこれに対応して業務アプリケーション部１２で所定のルールに従って自動的に設定される装置コードが「123XA」であり、「作業１」を作業者が入力した場合にこれに対応して業務アプリケーション部１２で所定のルールに従って自動的に設定される作業コードが「089X」である場合に、これら２つのコードのみに対応して、「123XA089X」と生成される。
管理システム１０を複数のユーザで使用する場合、同一のシステムであるのでコード化の所定のルールや、上述のメンテナンスコード生成のルールは同一である。従って、メンテナンスコードＣＯＭは、業者１、業者２、顧客Ａ、顧客Ｂ等、ユーザが誰であるかを問わず、ＢＯＭレベル３の機器情報に設定される装置コード及びＷＢＳレベル１の作業情報に設定される作業コードに基づいて、同一のコードが生成される。
【００３３】
なお、当該装置コードが「123XA」、当該作業コードが「089X」の場合を例と説明したが、これらコードの桁数はこれに限らず、仕様等に応じてこれ以上またはこれ以下に設定されうる。さらに、メンテナンスコード生成部１２０は、自動で生成された当該装置コードと当該作業コードをそのまま利用してメンテナンスコードＣＯＭを生成してもよいし、記憶部１３に２入力１出力の変換表または変換テーブルを別途備え、メンテナンスコード生成部１２０がこれを利用してメンテナンスコードＣＯＭを生成してもよい。例えば、メンテナンスコード生成部１２０は、当該装置コードが「123XA」、当該作業コードが「089X」の場合に、そのまま並べ、「123XA089X」や「089X123XA」のようにメンテナンスコードＣＯＭを生成してもよいし、混在させて「102839XXA」（互い違いに配置）のようにメンテナンスコードＣＯＭを生成してもよい。また、メンテナンスコード生成部１２０は、上記変換表に、当該装置コード「123XA」及び当該作業コード「089X」を入力し、当該変換表から出力されるコード（装置コードや作業コードと全く無関係の値や桁数であるが、これら２つのコードに唯一対応するコード）を、メンテナンスコードＣＯＭとしてもよい。
【００３４】
（工程表の作成処理Ｓ１２）
図１、図２及び図３の説明に戻る。工程表作成部１２２は、まず、客先機器台帳作成部１２１が上記所定の記憶領域の客先ＢＯＭ・ＷＢＳＤＢ１３１に記憶・保存したメンテナンスコードＣＯＭ及びそれに紐づくプラント情報を全て、当該所定の記憶領域の工事予定ＤＢ１３２にコピーする。例えば、ユーザが「業者１」、管理作業を行う対象のプラントが「顧客Ａ」のプラントである場合は、記憶領域１の工事予定ＤＢ１３２にコピーする。
そして、工程表作成部１２２は、ユーザが使用する入出力部１１に「工程表作成画面」を表示し、上述のようにプラント情報をコピーした工事予定ＤＢ１３２を用いて工程表の作成処理Ｓ１２を実行する。「工程表作成画面」には、工程表の作成処理Ｓ１２で入力される複数の項目の入力欄が表示される。具体的には、図３の「工程表の作成処理（Ｓ１２）」の欄に示すように、機器情報である客先設備名（ＢＯＭレベル１）、機器仕様分類、客先機器詳細名、機器詳細仕様、または系列（ＢＯＭレベル３）、並びに、作業情報である作業属性または客先実施項目名（ＷＢＳレベル１）、客先作業詳細名（ＷＢＳレベル２）、予定工程または予定工数（ＷＢＳレベル３）、さらには関連情報である休炉予定または検査予定等を入力するための入力欄を、工程表作成部１２２が入出力部１１に表示する。
なお、関連情報の入力欄には、文章で説明やコメントを入力することができる。例えば、予定されている休炉や検査に関する詳細な内容や、お客様への連絡事項等の種々の情報を入力することができる。従って、関連情報には、ユーザの経験によるノウハウや、特定製品の型番、工事等の作業上の秘密情報が含まれうる。
【００３５】
このとき、上記所定の記憶領域の工事予定ＤＢ１３２には、当該所定の記憶領域の客先ＢＯＭ・ＷＢＳＤＢ１３１に記憶・保存されたメンテナンスコードＣＯＭ及びプラント情報がコピーされている。よって、工程表の作成処理Ｓ１２の際、入力が必要となる項目であって、且つ、すでにコピーされたプラント情報等については、工程表作成部１２２は、当該入力欄の表示の際に、これら情報等を併せて表示させる。
図３の例では、客先機器台帳作成部１２１の処理Ｓ１１と工程表作成部１２２の処理Ｓ１２で、入力が必要となるプラント情報等は、ＢＯＭレベル１、ＢＯＭレベル３、ＷＢＳレベル１、及びＷＢＳレベル２において同一である。よって、これらのプラント情報は、「工程表作成画面」でユーザが改めて入力する必要はない。ただし、ユーザは、「工程表作成画面」の入力欄でこれら情報を修正することができる。
従って、工程表の作成処理Ｓ１２においてユーザが新規に入力する必要があるのは、多くとも、予定工程または予定工数（ＷＢＳレベル３）と関連情報の２項目であり、このため、ユーザの入力作業の時間及び労力を削減することができる。
そして、工程表作成部１２２は、ユーザが「工程表作成画面」で入力したプラント情報を上記所定の記憶領域の客先ＢＯＭ・ＷＢＳＤＢ１３１へ記憶・保存する。例えば、記憶領域が図１のように割り当てられており、ユーザが「業者１」、管理作業の対象であるプラントが「顧客Ａ」のプラントである場合、工程表作成部１２２は、記憶領域１の客先ＢＯＭ・ＷＢＳＤＢ１３１へ「工程表作成画面」で入力されたプラント情報の記憶・保存を行う。
【００３６】
また、特定のプラントについて工程表の作成処理Ｓ１２を実行する際、工程表作成部１２２は、当該工程表の作成に参考となる同一のメンテナンスコードＣＯＭに紐づく複数のプラントのプラント情報を検索・抽出し、他のプラントと比較できる形式で入出力部１１に表示させることができる。
ここで、工程表の作成処理Ｓ１２においては、上述の「第二の例外」のアクセスが禁止されるので、ユーザがアクセス権を持つ上記所定の記憶領域に格納されたプラント情報のみが抽出される。具体的には、ユーザが「業者１」である場合、記憶領域１と記憶領域３の工事予定ＤＢ１３２に保存されたプラント情報が抽出される。
従って、ユーザが作成処理Ｓ１２を実行する際、他のプラントと比較しながら効率よく作業を行うことができるので、ユーザの入力作業の時間及び労力を削減することができる。
【００３７】
（グループコードＰＡＲＥ並びに共通グループコードＶＩＳの生成処理）
ここで、本発明においては、上述のように、同一のメンテナンスコードＣＯＭに紐づく複数のプラントのプラント情報等を抽出して入出力部１１に表示させた際、抽出された複数のプラント情報等が多数である場合、ユーザは、抽出されたプラント情報を、グループコードＰＡＲＥまたは共通グループコードＶＩＳでさらに絞り込んで抽出し、当該出力部に表示させることができる。
グループコードＰＡＲＥ及び共通グループコードＶＩＳの生成、並びに、プラント情報へのこれらの紐づけ方法は、以下のとおりである。
まず、ユーザは、「工程表作成画面」を介して工程表作成部１２２に指示することで、工程表作成部１２２が関連情報分析部１２９を起動させる。関連情報分析部１２９は、メンテナンスコードＣＯＭによって抽出された複数のプラント情報のうち、ユーザがアクセス可能な記憶領域の工事予定ＤＢ１３２に「関連情報」として記憶・保存されている膨大なテキストから、特定の単語、数字などの文字列を分析（例えば、テキストマイニング分析）し、図５の上図に示すように、特定の文字列を数の多い順に所定数だけ当該出力部に表示する。例えば、ユーザが業者１である場合、関連情報分析部１２９は、記憶領域１及び記憶領域３の工事予定ＤＢ１３２に「関連情報」として保存されたテキストを対象として、テキストマイニング分析等を行う。なお、関連情報分析部１２９は、テキストマイニングの他、関連情報を対象として主成分分析、クラスター分析等の手法によって分析を行ってもよい。
【００３８】
ユーザが、図５の上図の特定の文字列（例えば、「抜管」）を選択すると、図５の下図に示すように、選択した特定の文字列に関連性の高い文字列のみが表示される。ここで、ユーザが当該選択した特定の文字列で上記絞り込みを希望する場合、ユーザは、「工程表作成画面」を介して工程表作成部１２２に指示することで、工程表作成部１２２がグループコード生成部１２Ａを起動させる。
グループコード生成部１２Ａは、当該選択した特定の文字列に一対一に対応する特定のグループコードＰＡＲＥを作成し、すでに抽出して「工程表作成画面」に表示させている「同一のメンテナンスコードＣＯＭに紐づく複数のプラントのプラント情報」のうち、当該選択した特定の文字列を関連情報に含むプラント情報に紐づける。
なお、１つのプラント情報に複数のグループコードＰＡＲＥを紐づけることが可能である。例えば、図５の上図にて、「抜管」、「足場」の各々に基づいて、異なるグループコードＰＡＲＥを生成することが可能である。その場合、プラント情報の中には、「抜管」に基づいて生成されたグループコードＰＡＲＥと、「足場」に基づいて生成されたグループコードＰＡＲＥとの両方に紐づけられるプラント情報が生じうる。当該プラント情報は、対応するメンテナンスコードＣＯＭ、これら２つのグループコードＰＡＲＥのいずれでも検索することが可能となる。また、ある一つのグループコードＰＡＲＥに紐づけられた複数のプラント情報でなるグループは、当該プラント情報に対応するメンテナンスコードＣＯＭに紐づけられた複数のプラント情報でなるグループに包含される関係が成立する。従って、関連情報分析部１２９の分析結果を参照して、多数のグループコードＰＡＲＥを生成し、特定のメンテナンスコードＣＯＭに紐づくプラント情報のグループ分けを数多く行うことによって、各処理Ｓ１２〜Ｓ１８における処理速度や処理精度を高めることができる。
ところで、グループコードＰＡＲＥは、特定の文字列に一対一に対応して生成されるため、当該特定の文字列と異なる文字列が選択される場合には、異なるグループコードＰＡＲＥが生成される。言い換えれば、当該特定の文字列に対応する第一のグループコードＰＡＲＥと、当該異なる文字列に対応する第二のグループコードＰＡＲＥは、互いに異なるコードに設定される。しかし、文字列は異なるものの、その内容や意味は同じという場合がありうる。
例えば、あるユーザは社内用語として「抜管」という用語を使用する場合でも、他のユーザは社内用語として「抜き管」という用語を使用する場合がありうる。この場合に、第一のグループコードＰＡＲＥに紐づいたプラント情報を抽出すると、上記絞り込みはできるものの、第二のグループコードに紐づいたプラント情報が欠落することになる。
そこで、グループコードＰＡＲＥと一対一に対応する特定の文字列が互いに異なる場合であっても、その意味・内容が同じである場合には、運営業者が共通グループコード生成部１４を起動して、共通グループコードＶＩＳを生成し、これを互いに異なるグループコードに紐づくプラント情報に紐づける。上述の例では、「抜管」という特定の文字列に対応する第一のグループコードＰＡＲＥに紐づいた機器情報及び作業情報と、「抜き管」という特定の文字列に対応する第二のグループコードＰＡＲＥに紐づいた機器情報及び作業情報とを、共通グループコード生成部１４が一つの共通グループコードＶＩＳに紐づける。
図６は、グループコードＰＡＲＥ及び共通グループコードＶＩＳの紐づけを説明するための簡略図である。グループコードＰＡＲＥ及び共通グループコードＶＩＳは、特定のメンテナンスコードＣＯＭに紐づく機器情報及び作業情報等に紐づけられることが理解できる。なお、図６は、図４（c）のプラント情報及びメンテナンスコードＣＯＭにグループコードＰＡＲＥ及び共通グループコードＶＩＳが紐づけられた例である。
グループコードＰＡＲＥは、例として「X425A00A1」を示したが、コードの桁数はこれに限らず、仕様等に応じてこれ以上またはこれ以下に設定されうる。同様に、共通グループコードＶＩＳは、例として「GH7T2」を示したが、コードの桁数はこれに限らず、仕様等に応じてこれ以上またはこれ以下に設定されうる。
なお、以上の説明では、関連情報分析部１２９による分析に基づいてグループコードＰＡＲＥ及び共通グループコードＶＩＳが生成されたが、関連情報分析部１２９による分析によらずとも、ユーザが、自らの知見などに基づいて特定の文字列を指定し、その特定の文字列に基づいてグループコードＰＡＲＥを生成してもよい。また、ユーザが関与せずとも、例えば、人工知能（ＡＩ：Artificial intelligence）を用いて、各処理部１２２〜１２８が、関連情報分析部１２９とグループコード生成部１２Ａを起動し、グループコードＰＡＲＥの生成及び対応するプラント情報への紐づけを自動的に行ってもよい。
また、以上の説明では、共通グループコード生成部１４は運営業者によって起動され、共通グループコードＶＩＳが生成されたが、これに限る必要はない。共通グループコード生成部１４が人工知能（ＡＩ）を搭載し、運営業者が関与せずとも、互いに異なる特定の文字列の意味が同一か否かを自動的に判断し、同一である場合に共通グループコードＶＩＳを自動的に生成して上記紐づけを行うとしてもよい。
さらに、以上の説明では、図６に示すように、グループコードＰＡＲＥと共通グループコードＶＩＳが併存するが、共通グループコードＶＩＳが生成された場合には、これをグループコードＰＡＲＥと入れ替えてプラント情報へ紐づけてもよい。上述した「抜管」という特定の文字列と「抜き管」という特定の文字列の例で説明すると、すでに生成されて紐づけられている第一及び第二のグループコードＰＡＲＥを消去して、代わりに共通グループコードＶＩＳに紐づける。この場合には、業務アプリケーション部１２の各処理部では、共通グループコードＶＩＳはグループコードＰＡＲＥとして認識またはグループコードＰＡＲＥとみなされるので、グループコードＰＡＲＥと共通グループコードＶＩＳが併存する場合に比べ、記憶部１３の記憶容量を低減することができる。ただし、この場合、共通グループコードＶＩＳのコードの桁数は、グループコードＰＡＲＥのコードの桁数と同じである必要がある。
【００３９】
そして、工程表作成部１２２は、グループコードＰＡＲＥまたは共通グループコードＶＩＳに対応するプラント情報を、ユーザがアクセス権を持つ上記所定の記憶領域の工事予定ＤＢ１３２に記憶・保存する。例えば、ユーザが業者１である場合、工程表作成部１２２は、記憶領域１及び記憶領域３の工事予定ＤＢ１３２に記憶・保存する。
これにより、ユーザは、グループコードＰＡＲＥまたは共通グループコードＶＩＳを用いて上記絞り込みを実行し、これらに紐づいたプラント情報を抽出することができる。このため、入出力部１１に表示される複数のプラント情報の数を減数させ、作業に関連性の高い情報のみを表示させることができるので、他のプラントと比較しながらさらに効率よく作業を行うことができる。よって、ユーザの入力作業の時間及び労力を削減することができる。
また、ユーザによって設定されるグループコードＰＡＲＥのみでは、上記絞り込みの際、本来必要なプラント情報に欠落が生じる恐れがあるが、共通グループコードＶＩＳを使用することで、当該欠落を防止し、ユーザによる精度の高い作業が可能となる。
なお、上述のとおり、工程表の作成処理Ｓ１２においては、上述の「第二の例外」のアクセスが禁止されるので、ユーザがグループコードＰＡＲＥまたは共通グループコードＶＩＳを用いて上記絞り込みを実行した場合、ユーザがアクセス権を持つ上記所定の記憶領域に格納されたプラント情報のみが抽出される。具体的には、ユーザが「業者１」である場合、記憶領域１と記憶領域３の工事予定ＤＢ１３２に保存されたプラント情報が抽出される。
【００４０】
以上の通り、特定のプラントについて工程表の作成処理Ｓ１２を実行する際、同一のメンテナンスコードＣＯＭや、同一のグループコードＰＡＲＥまたは同一の共通グループコードＶＩＳに紐づく複数のプラントのプラント情報等を検索・抽出し、他のプラントと比較できる形式で入出力部１１に表示させることができる。これにより、ユーザは、特定のプラントについて、他のプラント情報を参考に入力を行うことができるので、入力作業が効率的（時間短縮、労力低減）になり、また、実績に基づくプラント情報と比較した結果であるので信頼性の高い工程表を作成することができる。
【００４１】
（見積の作成処理Ｓ１３）
図１、図２及び図３の説明に戻る。見積作成部１２３は、まず、工程表作成部１２２が上記所定の記憶領域の工事予定ＤＢ１３２に記憶・保存したメンテナンスコードＣＯＭ、グループコードＰＡＲＥまたは共通グループコードＶＩＳ、及びそれに紐づくプラント情報を全て、当該所定の記録領域の見積ＤＢ１３３にコピーする。例えば、ユーザが「業者１」、管理作業を行う対象のプラントが「顧客Ａ」のプラントである場合は、記憶領域１の見積ＤＢ１３３にコピーする。
工事予定ＤＢ１３２に記憶・保存されたプラント情報等を全てコピーするので、工程表作成部１２２における工程表の作成処理Ｓ１２で使用されず、入出力部１１に表示されなかったＢＯＭレベル２、ＢＯＭレベル４、及びＢＯＭレベル５のプラント情報も見積ＤＢ１３３にコピーされる。これらＢＯＭレベル２、ＢＯＭレベル４、及びＢＯＭレベル５のプラント情報は、当該所定の記憶領域の客先ＢＯＭ・ＷＢＳＤＢ１３１に記憶・保存されたプラント情報と同一である。
【００４２】
そして、見積作成部１２３は、入出力部１１に「見積作成画面」を表示し、上記所定の記憶領域の見積ＤＢ１３３を用いて見積の作成処理Ｓ１３を実行する。「見積作成画面」には、見積の作成処理Ｓ１３で入力される複数の項目の入力欄が表示される。具体的には、図３の「見積の作成処理（Ｓ１３）」の欄に示すように、機器情報である客先設備名（ＢＯＭレベル１）、客先機器名（ＢＯＭレベル２）、機器仕様分類、客先機器詳細名、または系列（ＢＯＭレベル３）、客先機器部品名、部品仕様、数量、または見積単価（ＢＯＭレベル５）、並びに、作業情報である作業属性または客先実施項目名（ＷＢＳレベル１）、客先作業詳細名、見積工数、または見積単価（ＷＢＳレベル２）、さらには関連情報である経費を入力するための入力欄を、見積作成部１２３が入出力部１１に表示する。
このとき、当該所定の記憶領域の見積ＤＢ１３３には、当該所定の記憶領域の工事予定ＤＢ１３２に記憶・保存されたメンテナンスコードＣＯＭ、グループコードＰＡＲＥまたは共通グループコードＶＩＳ、及びプラント情報がコピーされている。よって、見積の作成処理Ｓ１３の際、入力が必要となる項目であって、且つ、すでにコピーされたプラント情報等については、見積作成部１２３は、当該入力欄の表示の際に、これら情報等を併せて表示させる。
【００４３】
ここで、図３において、客先機器台帳作成部１２１の処理Ｓ１１で入力が必要なＢＯＭレベル２の情報は、客先機器名または機器仕様であるのに対し、見積作成部１２３の処理Ｓ１３で入力が必要なＢＯＭレベル２の情報は、客先機器名であって、機器仕様の入力は不要となっている。この場合、見積作成部１２３は、「見積作成画面」の入力欄に、工事予定ＤＢ１３２から見積ＤＢ１３３にコピーされた客先機器名を表示し、必要に応じてユーザによる修正を可能とするが、同様にコピーされた機器仕様を表示する必要はない。
また、図３において、客先機器台帳作成部１２１の処理Ｓ１１で入力が必要なＢＯＭレベル５の情報は、客先機器部品名または部品仕様であるのに対し、見積作成部１２３の処理Ｓ１３で入力が必要なＢＯＭレベル５の情報は、客先機器部品名、部品仕様、数量、または見積単価であり、情報量が増加している。この場合、見積作成部１２３は、「見積作成画面」の入力欄に、工事予定ＤＢ１３２から見積ＤＢ１３３にコピーされた客先機器部品名または部品仕様を表示し、必要に応じてユーザによる修正を可能とするが、さらに、同じＢＯＭレベル内で増加した情報（ここでは、数量または見積単価）に対応する入力欄を新たに「見積作成画面」に表示して、ユーザの入力を促す。見積作成部１２３は、ユーザが入力した情報を、上記所定の記憶領域の見積ＤＢ１３３に記憶・保存する。
【００４４】
なお、工程表作成部１２２と同様、見積の作成処理Ｓ１３においても、グループコードＰＡＲＥまたは共通グループコードＶＩＳを生成し、プラント情報に紐づけることができる。そして、見積作成部１２３は、同一のメンテナンスコードＣＯＭに紐づく複数のプラントのプラント情報や、同一のグループコードＰＡＲＥまたは同一の共通グループコードＶＩＳに紐づく複数のプラントのプラント情報を検索・抽出し、他のプラントと比較できる形式で入出力部１１に表示させることができる。これにより、ユーザは、特定のプラントについて、他のプラント情報を参考に入力を行うことができるので、入力作業が効率的（時間短縮、労力低減）になり、また、実績に基づくプラント情報と比較した結果であるので信頼性の高い見積を作成することができる。特に関連性の深い、同一のグループコードに紐づくプラントのプラント情報を表示させることにより、さらに作業効率を向上させ、確度の高い見積もりを作成することができる。
【００４５】
その他の処理部１２４〜１２７は、メンテナンスコードＣＯＭ、グループコードＰＡＲＥ、並びに共通グループコードＶＩＳを用いたプラント情報の抽出を含めて、工程表作成部１２２または見積作成部１２３と同様の動作を行うので、以下、簡単に説明する。
【００４６】
（工事仕様書の作成処理Ｓ１４）
工事仕様書作成部１２４は、まず、見積作成部１２３が上記所定の記憶領域の見積ＤＢ１３３に記憶・保存したメンテナンスコードＣＯＭ、グループコードＰＡＲＥまたは共通グループコードＶＩＳ、及びそれらに紐づくプラント情報を全て、当該所定の記録領域の発注コストＤＢ１３４にコピーする。そして、工事仕様書作成部１２４は、入出力部１１に「工事仕様書作成画面」を表示し、当該所定の記憶領域の発注コストＤＢ１３４を用いて工事仕様書の作成処理Ｓ１４を実行する。工事仕様書作成部１２４は、「工事仕様書作成画面」で入力された情報を当該所定の記憶領域の発注コストＤＢ１３４に記憶・保存する。
【００４７】
（工事報告書の作成処理Ｓ１５）
工事報告書作成部１２５は、まず、工事仕様書作成部１２４が上記所定の記憶領域の発注コストＤＢ１３４に記憶・保存したメンテナンスコードＣＯＭ、グループコードＰＡＲＥまたは共通グループコードＶＩＳ、及びそれらに紐づくプラント情報を全て、当該所定の記録領域の機器点検・計測記録ＤＢ１３５にコピーする。そして、工事報告書作成部１２５は、入出力部１１に「工事報告書作成画面」を表示し、当該所定の記憶領域の機器点検・計測記録ＤＢ１３５を用いて工事報告書の作成処理Ｓ１５を実行する。工事報告書作成部１２５は、「工事報告書作成画面」で入力された情報を当該所定の記憶領域の機器点検・計測記録ＤＢ１３５に記憶・保存する。
【００４８】
（工事日報の作成処理Ｓ１６）
工事日報作成部１２６は、まず、工事報告書作成部１２５が上記所定の記憶領域の機器点検・計測記録ＤＢ１３５に記憶・保存したメンテナンスコードＣＯＭ、グループコードＰＡＲＥまたは共通グループコードＶＩＳ、及びそれらに紐づくプラント情報を全て、当該所定の記録領域の工事実績ＤＢ１３６にコピーする。そして、工事日報作成部１２６は、入出力部１１に「工事日報作成画面」を表示し、当該所定の記憶領域の工事実績ＤＢ１３６を用いて工事日報の作成処理Ｓ１６を実行する。工事日報作成部１２６は、「工事日報作成画面」で入力された情報を当該所定の記憶領域の工事実績ＤＢ１３６に記憶・保存する。
【００４９】
（保全履歴の作成処理Ｓ１７）
保全履歴作成部１２７は、まず、工事日報作成部１２６が上記所定の記憶領域の工事実績ＤＢ１３６に記憶・保存したメンテナンスコードＣＯＭ、グループコードＰＡＲＥまたは共通グループコードＶＩＳ、及びそれらに紐づくプラント情報を全て、当該所定の記録領域の工事履歴ＤＢ１３７にコピーする。そして、保全履歴作成部１２７は、入出力部１１に「保全履歴画面」を表示し、当該所定の記憶領域の工事履歴ＤＢ１３７を用いて保全履歴の作成処理Ｓ１７を実行する。保全履歴作成部１２７は、「保全履歴画面」で入力された情報を当該所定の記憶領域の工事履歴ＤＢ１３７に記憶・保存する。
【００５０】
（保全計画の作成処理Ｓ１８）
ここでは、上述のとおり、「第二の例外」のアクセスが可能となるので、この点を含めて説明を行う。なお、保全計画の作成処理Ｓ１８の後、図２に示すように、処理フローは工程表の作成処理Ｓ１２へ戻り、順次、継続してゆく。処理フローが工程表の作成処理Ｓ１２へ戻った際は、工程表作成部１２２は、まず、上記所定の記憶領域の将来工事計画ＤＢ１３８に記憶・保存したメンテナンスコードＣＯＭ、グループコードＰＡＲＥまたは共通グループコードＶＩＳ、及びそれらに紐づくプラント情報を全て、当該所定の記憶領域の工事予定ＤＢ１３２にコピーするとともに、客先機器台帳作成部１２１が当該所定の記憶領域の客先ＢＯＭ・ＷＢＳＤＢ１３１に新たに記憶・保存したメンテナンスコードＣＯＭ及びそれに紐づくプラント情報を全て、当該所定の記憶領域の工事予定ＤＢ１３２にコピーする。
では、保全計画の作成処理Ｓ１８を説明する。
まず、保全計画作成部１２８は、保全履歴作成部１２７が上記所定の記憶領域の工事履歴ＤＢ１３７に記憶・保存したメンテナンスコードＣＯＭ、グループコードＰＡＲＥまたは共通グループコードＶＩＳ、及びそれらに紐づくプラント情報を全て、当該所定の記録領域の将来工事計画ＤＢ１３８にコピーする。そして、保全計画作成部１２８は、入出力部１１に「保全計画作成画面」を表示し、当該所定の記憶領域の将来工事計画ＤＢ１３８を用いて保全計画の作成処理Ｓ１８を実行する。「保全計画作成画面」には、保全計画の作成処理Ｓ１８で入力される複数の項目の入力欄が表示される。具体的には、図３の「保全計画の作成処理（Ｓ１８）」の欄に示すように、機器情報である客先設備名（ＢＯＭレベル１）、客先機器名または機器仕様（ＢＯＭレベル２）、機器仕様分類、客先機器詳細名、機器詳細仕様、系列、または点検・計測結果（ＢＯＭレベル３）、客先機器部分名または部分仕様（ＢＯＭレベル４）、客先機器部品名、部品仕様、または計画数量（ＢＯＭレベル５）、並びに、作業情報である作業属性、客先実施項目名、計画工数合計、または予定受注額合計（ＷＢＳレベル１）、さらに関連情報である補足説明等を入力するための入力欄を、工程表作成部１２２が入出力部１１に表示する。
このとき、上記所定の記憶領域の将来工事計画ＤＢ１３８には、メンテナンスコードＣＯＭ、グループコードＰＡＲＥまたは共通グループコードＶＩＳを含め、業務アプリケーション部１２の各処理部１２１〜１２７の各処理Ｓ１１〜Ｓ１７で、順次コピーされてきたプラント情報等の全てが記憶・保存されている。よって、保全計画の作成処理Ｓ１８の際、入力が必要となる項目であって、且つ、すでにコピーされたプラント情報等については、保全計画作成部１２８は、当該入力欄の表示の際に、これら情報等を併せて表示させる。
図３の例では、保全履歴作成部１２７の処理Ｓ１７と保全計画作成部１２８の処理Ｓ１８で、入力が必要となるプラント情報等は、ＢＯＭレベル１〜４において同一である。よって、これらのプラント情報は、「保全計画作成画面」でユーザが改めて入力する必要はない。ただし、ユーザは、「保全計画作成画面」の入力欄でこれら情報を修正することができる。
従って、他の処理Ｓ１２〜Ｓ１７と同様、保全計画の作成処理Ｓ１８においてユーザが新規に入力する必要があるのは、計画数量（ＢＯＭレベル５）、計画工数合計または予定受注額合計（ＷＢＳレベル１）であり、このため、ユーザの入力作業の時間及び労力を削減することができる。
保全計画作成部１２８は、ユーザが入力した情報を、上記所定の記憶領域の将来工事計画ＤＢ１３８に記憶・保存する。
【００５１】
ここで、保全計画作成部１２８は、保全計画の作成処理Ｓ１８において、業務アプリケーション部１２における他の処理部１２１〜１２７と異なり、ユーザがアクセス権を持たない記憶領域の将来工事計画ＤＢ１３８に記憶・保存された機器情報の一部及び作業情報の一部を、入出力部１１に表示することができる。当該機器情報の一部及び当該作業情報の一部は、秘密情報でなく、いずれのユーザでも共用可能なプラント情報である。
具体的には、当該機器情報の一部は、メンテナンスコードＣＯＭを生成する際に使用した装置コードに対応するＢＯＭレベルの機器情報である。また、当該作業情報の一部は、メンテナンスコードＣＯＭを生成する際に使用した作業コードに対応するＷＢＳレベルに相当する作業情報である。言い換えれば、共用可能であり、且つ、ＢＯＭの複数の階層のうち複数のプラントの全てにおいて機器情報が必ず入力される階層の中で最下層の機器情報と、ＷＢＳの複数の階層のうち当該最下層の機器情報に直接的に紐づくＷＢＳの階層の作業情報である。この２つの機器情報と作業情報は、当然のことながらメンテナンスコードＣＯＭに紐づいている。
ここでは、図３の「保全計画の作成処理（Ｓ１８）」の欄に黒色の太枠で示したＢＯＭレベル３の機器情報及びＷＢＳレベル１の作業情報が共用可能なプラント情報である。
上述のように、メンテナンスコードＣＯＭは、ユーザによる管理作業を容易にするため、多数のプラント情報から関連の高いプラント情報に絞り込むことを可能にする検索コードであり、この検索コードを生成する元になった装置コードや作業コードの対応するＢＯＭレベルの機器情報やＷＢＳレベル作業情報は、自ずとユーザに有益なプラント情報となりうる。
なお、当該太枠内の機器情報または作業情報のうち、一部の機器情報または作業情報を共用可能とすることを希望しない場合、ユーザはフラグ等を立てることで、個別に共用不能とすることができる。また、ここではＢＯＭレベル３の機器情報及びＷＢＳレベル１の作業情報を共用可能なプラント情報としたが、運営業者の方針や全てのユーザの総意によって、少なくともこれらのプラント情報のほか、他の階層のプラント情報まで共用可能の範囲を広げてもよい。
【００５２】
図７、図８、及び図９に、保全計画作成部１２８の保全計画の作成処理Ｓ１８における「保全計画作成画面」の表示例を示す。
図７（ａ）は、図１の業者１が特定のメンテナンスコードＣＯＭで所望のプラント情報を検索・抽出した例であり、年表形式で一部のプラント情報を表示した例である。業者１は、顧客Ａのプラントと顧客Ｂのプラントに関する工事を受注した実績があるので、運営業者によって、業者１に対し、記憶領域１と記憶領域３のアクセス権が与えられている。また、現在は、２０１９年上半期であり、過去、すなわち、２０１６年〜２０１８年には受注した実績があり、２０１９年及び将来、すなわち、２０１９年〜２０２１年は受注実績がまだないが、見積りを提示したまたは見積りを提示予定であるとして、話を進める。
図７（ａ）に表示されたプラント情報のうち、「１号ストーカ」、「２号ストーカ」、「１号燃焼装置」、「２号燃焼装置」、「３号燃焼装置」は、保全計画の作成処理Ｓ１８において共用可能なＢＯＭレベル３の「客先機器詳細名」であり、「ストーカ整備」及び「燃焼装置整備」は、共用可能なＷＢＳレベル１の「客先実施項目名」である。
また、括弧書で「受注」と記載された欄の金額は、保全計画の作成処理Ｓ１８において共用可能なＷＢＳレベル１の「予定受注額合計」である。この金額は、公共事業の場合、一般的に顧客により公示されるので、共用可能である。また、「予定受注額合計」は、見積りを提示したまたは見積りを提示予定である場合には、見積金額の合計を意味し、受注に成功した場合には、受注金額の合計を意味する。
一方、括弧書で「発注」と記載された欄の金額は、保全履歴の作成処理Ｓ１７のＷＢＳレベル１の「発注金額合計」であるため、業者１の秘密情報であって、共用可能ではない。しかしながら、業者１にとっては、自己の秘密情報であるので、「保全計画作成画面」に表示させることができる。なお、「発注金額合計」は、業者１が、自己の工事を請け負わせた請負業者へ発注した際の金額合計であり、通常、公開されない情報である。
図７（ａ）に示すように、年表形式で表示すると、過去から将来まで一覧できるため、容易に将来の受注計画を立てることができる。
なお、この図７（ａ）の情報を、アクセス権のない業者２が、管理システム１０を使用してメンテナンスコードＣＯＭで検索・抽出した場合の例を、図７（ｂ）に示す。
図７（ｂ）と図７（ａ）との相違点は、図７（ａ）において括弧書で「発注」と記載された欄の金額が、図７（ｂ）では表示されない点である。上述のとおり、図７（ａ）において括弧書で「発注」と記載された欄の金額は「発注金額合計」であって、保全計画の作成処理Ｓ１８で使用する共用可能なＷＢＳレベル１のプラント情報ではないため、業者２に開示されない。
また、図７（ａ）では、メンテナンスコードＣＯＭを用いて、ユーザである業者１自身がアクセス権を持つ記憶領域のプラント情報のみを抽出・表示した例を示しているが、業者１がアクセス権を持たない記憶領域のプラント情報も抽出・表示できる。業者１がアクセス権を持たない記憶領域のプラント情報については、図７（ｂ）と同様に抽出・表示されることになる。この場合には、「保全計画作成画面」に、図７（ａ）と同様の画面と、図７（ｂ）と同様の画面が併存する。このように併存して表示すれば、例えば業者１は、競合他社である業者２の計画や金額を参考にすることができるので、顧客に対して魅力的かつ競争力のある計画を提案することができる。
ここで、図７（ａ）において、例えば、業者１が、２０１６年の「１号ストーカ」の「２３２４万円（受注）」の欄をクリックすると、図８（ａ）の画面が表示される。図８（ａ）には、保全計画の作成処理Ｓ１８において共用可能でない多数の情報、すなわち図３の複数の処理Ｓ１１〜Ｓ１８でそれぞれ使用する多数のＢＯＭの階層の機器情報及び多数のＷＢＳの階層の作業情報であって、且つ、共用可能なプラント情報のほかに共用可能でないプラント情報も含めて表示される。具体的には、図８（ａ）の「ストーカ」は「客先機器名」（ＢＯＭレベル２）、「工事準備」や「養生設置」等は「客先作業詳細名」（ＷＢＳレベル２）、「見積工数」の下方の各欄の数字は「見積工数」（ＷＢＳレベル２）、「見積単価（円/工数）」の下方の各欄の数字は「見積単価」（ＷＢＳレベル２）、「備考」の下方の各欄（ここでは空欄であるが、記載されている場合がある）は「個別情報（関連情報）」である。これら共用可能でないプラント情報は、アクセス権のある業者１のみが表示することができる。
同様に、図７（ａ）において、例えば、業者１が、２０１６年の「１号ストーカ」の「１７６８万円（発注）」の欄をクリックすると、図８（ｂ）の画面が表示される。
図８（ａ）と相違する表示を簡潔に説明する。図８（ｂ）の「発注工数」の下方の各欄の数字は「発注工数」（ＷＢＳレベル２）、「発注単価（円/工数）」の下方の各欄の数字は「発注単価」（ＷＢＳレベル２）である。また、「請負業者」の下方の各欄の請負業者名（業者α、業者β）は、図３の表に記載がないが、ＷＢＳレベル２に紐づく関連情報である。
上述のように、業者１がアクセス権を持つ記憶領域１及び記憶領域３の将来工事計画ＤＢ１３８には、それぞれの記憶領域に関する処理フローにおいて、順次各ＤＢにコピーされたプラント情報が全て記憶・保存されている。このため、保全計画の作成処理Ｓ１８において使用しないプラント情報も、表示することができる。図８（ａ）、図８（ｂ）のように業者１は自己の秘密情報であって詳細な情報を表示できるので、管理作業を促進することができる。
なお、図７（ａ）の過去分、例えば２０１６年の１号ストーカ炉において、業者１が実績額である「２３２４万円（受注）」をクリックして図８（ａ）を表示した場合、「客先作業詳細名」の下方の欄の「計測」をさらにクリックすると、保全計画の作成処理Ｓ１８において、図８（ｃ）の計測値（実測値）が表示される。これは、保全計画の作成処理Ｓ１８で共用可能な「点検・計測結果」（ＢＯＭレベル３）である。図８（ｃ）は共用可能であるので、例えば、業者２が管理システム１０を使用して図８（ｂ）を表示した場合、２０１６年の１号ストーカ炉の「２３２４万円（受注）」をクリックすると、図８（ａ）に相当する画面は表示されず、ただちに図８（ｃ）が表示される。
図７（ａ）において、例えば、業者１が、２０１６年の「１号ストーカ」の「２３２４万円（受注）」の欄をクリックすると、図８（ａ）の画面が表示される例を説明したが、図８（ａ）に代わり、図８（ａ）より情報量を増加させた図９（ａ）を表示してもよい。  図８（ａ）と相違する表示を簡潔に説明する。図９（ａ）の１つめの「ストーカ」は「機器仕様分類」（ＢＯＭレベル３）、２つめの「ストーカ」は「客先機器名」（ＢＯＭレベル２）、「処理能力：200ｔ/ｄ  ラン数：2ラン」は「機器詳細仕様」（ＢＯＭレベル３）、「01」は「系列」（ＢＯＭレベル３）、「830」は「計画工数合計」（ＢＯＭレベル３）、「点検整備」は「作業属性」（ＷＢＳレベル１）、並びに、「23,240,000」は「予定受注額合計」（ＷＢＳレベル１）である。
業者１が、保全計画の作成処理Ｓ１８において、メンテナンスコードＣＯＭを用いてプラント情報を抽出した場合、業者２及び顧客Ｂにアクセス権があり且つ業者１にアクセス権がない記憶領域２及び記憶領域４の将来工事計画ＤＢ１３８のプラント情報は、共用可能なプラント情報のみ表示されるので、図９（ａ）に相当する画面として例えば図９（ｂ）の画面が表示される。図９（ｂ）には、共用可能なプラント情報のみ表示される。
なお、保全計画の作成処理Ｓ１８において、メンテナンスコードＣＯＭを用いてプラント情報を抽出した場合を説明したが、グループコードＰＡＲＥまたは共通グループコードＶＩＳを用いてプラント情報を抽出した場合も同様である。
また、自己がアクセス権を持つプラント情報であれば、図７（ａ）、図８（ａ）、または図９（ａ）に限らず、所望のプラント情報を表示させてよい。さらに、表示のレイアウトをいかように変更してもよい。
以上のように、業務アプリケーション部１２の処理部である保全計画作成部１２８は、業者１の管理作業である保全計画の作成処理Ｓ１８を実行する場合、業者１がアクセス権を持つ記憶領域１及び記憶領域３から、メンテナンスコードＣＯＭに紐づく複数のＢＯＭの階層の機器情報と、少なくとも、ＢＯＭの複数の階層のうち複数のプラントの全てにおいて機器情報が必ず入力される階層の中で最下層の機器情報に直接的に紐づくＷＢＳの階層の作業情報を抽出して表示することができ、また、業者１がアクセス権を持たない記憶領域２及び記憶領域４から、共用可能であり、且つ、当該メンテナンスコードＣＯＭに紐づく当該最下層の機器情報と当該最下層の機器情報に直接的に紐づくＷＢＳの階層の作業情報を抽出して表示することができる。
従って、管理システム１０は、秘密情報の流出を防止することができ、且つ、プラント情報を複数のユーザで共用可能なシステムである。
また、業者にとって、自己のプラント情報だけでなく、通常はアクセスできない他の業者のプラント情報のうち共用可能かつ有用なプラント情報を参考にできるので、例えば、他の業者よりも魅力的かつ競争力のある見積を作成するなど、管理システム１０を用いて管理作業を行う際の作業の質や効率を向上することができる。
【００５３】
なお、以上の管理システム１０の説明では、ユーザが業者である場合に主眼を置いて説明した。しかし、顧客もユーザとして管理システム１０を使用することができる。
顧客は、一般的に、業者が入力したプラント情報を改変する必要がないため、ここでは原則として閲覧することができるのみとして説明する。すなわち、顧客は、プラントの管理作業のうち、原則として閲覧作業のみ可能である。しかしながら、運営業者の方針や全てのユーザの総意によって、業者が入力した一部のプラント情報の改変や、当該プラント情報への追記を許容してもよい。この場合には、顧客も、閲覧作業以外の管理作業ができることになる。
なお、上述のように、業者は各処理Ｓ１１〜Ｓ１８で入出力部１１に対応する処理画面を表示させて入力作業を行うので、管理作業として当然に閲覧作業を行うことができる。
顧客が閲覧作業を行う場合は、各処理Ｓ１１〜Ｓ１８の処理フローで説明した通り、将来工事計画ＤＢ１３８に全てのプラント情報が記憶・保存されているので、保全計画作成部１２８の「保全計画作成画面」で閲覧作業を行うとよい。
この場合、顧客は、メンテナンスコードＣＯＭ、グループコードＰＡＲＥまたは共通グループコードＶＩＳを用いて所望のプラントに関連するプラント情報を検索・抽出することができる。ただし、ユーザが業者である場合と同様、自己がアクセス権を持たない将来工事計画ＤＢ１３８に記憶・保存されたプラント情報については、共用可能なプラント情報のみ閲覧可能である。
例えば、図１において、顧客Ａの管理作業である閲覧作業を保全計画作成部１２８の保全計画の作成処理Ｓ１８で実行する場合、管理システム１０は、顧客Ａがアクセス権を持つ記憶領域１及び記憶領域２から、メンテナンスコードＣＯＭに紐づく複数のＢＯＭの階層の機器情報と、少なくとも、ＢＯＭの複数の階層のうち複数のプラントの全てにおいて機器情報が必ず入力される階層の中で最下層の機器情報に直接的に紐づくＷＢＳの階層の作業情報を抽出して表示することができ、また、顧客Ａがアクセス権を持たない記憶領域３及び記憶領域４から、共用可能であり、且つ、当該メンテナンスコードＣＯＭに紐づく当該最下層の機器情報と当該最下層の機器情報に直接的に紐づくＷＢＳの階層の作業情報を抽出して表示することができる。
従って、顧客にとって、自己のプラント情報だけでなく、通常はアクセスできない他の顧客のプラント情報のうち共用可能かつ有用なプラント情報を参考にできるので、例えば、業者から見積等の提示を受けた際、同様のプラントに対して当該業者が他の顧客へ提示している見積等の概要を知り、比較することができるので、値引き交渉等、発注する業者の選定作業の効率を向上することができる。
【００５４】
以上に詳述したように、本発明の管理システム１０によれば、複数のプラントのプラント情報の一部を、ノウハウの流出を防ぎつつ、複数のユーザ間で共有することができる。また、メンテナンスコードＣＯＭ、グループコードＰＡＲＥ、または共通グループコードＶＩＳを用いてプラント情報を検索・抽出することで、類似する機器や作業に関する保守作業の内容、保守作業に必要なコスト、保守作業の実施サイクルなどを表示させ、比較することができる。
ユーザが自己にアクセス権がない共用可能なプラント情報を例外として閲覧することができるので、ユーザが顧客である場合には、業者が提案するサービスの内容や価格の適正さを判断しやすくなり、業者選定を適正かつ容易に行うことができる。また、ユーザが業者である場合、自社の秘密情報を守りつつ、他社の見積提案等の概要を把握して、顧客へ魅力的且つ競争力ある提案を行うことができる。また、多くの業者や顧客が管理システム１０を利用することで、競争原理が働き、透明性が高い健全な市場の実現を図ることができる。
【００５５】
その他、本発明の趣旨を逸脱しない範囲で、上記した実施形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
【符号の説明】
【００５６】
１０・・・プラント機器情報管理システム
１１（１１−１〜１１〜４）・・・入出力部
１２・・・業務アプリケーション部
１２０・・・メンテナンスコード生成部
１２１・・・客先機器台帳作成部
１２２・・・工程表作成部
１２３・・・見積作成部
１２４・・・工事仕様書作成部
１２５・・・工事報告書作成部
１２６・・・工事日報作成部
１２７・・・保全履歴作成部
１２８・・・保全計画作成部
１２９・・・関連情報分析部
１２Ａ・・・グループコード生成部
１３・・・記憶部
１３１・・・客先ＢＯＭ・ＷＢＳＤＢ
１３２・・・工事予定ＤＢ
１３３・・・見積ＤＢ
１３４・・・発注コストＤＢ  
１３５・・・機器点検・計測記録ＤＢ
１３６・・・工事実績ＤＢ
１３７・・・工事履歴ＤＢ
１３８・・・将来工事計画ＤＢ
１４・・・共通グループコード生成部
【図１】
2020135538.tif 000003
【図２】
2020135538.tif 000004
【図３】
2020135538.tif 000005
【図４】
2020135538.tif 000006
【図５】
2020135538.tif 000007
【図６】
2020135538.tif 000008
【図７】
2020135538.tif 000009
【図８】
2020135538.tif 000010
【図９】
2020135538.tif 000011
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
複数のプラントの機器情報をＢＯＭにより管理し、前記ＢＯＭの複数の階層に対応して入力された前記機器情報にそれぞれ対応する装置コードが設定され、前記プラントに対して行う作業情報をＷＢＳにより管理し、前記ＷＢＳの複数の階層に対応して入力された前記作業情報にそれぞれ対応する作業コードが設定されるプラント機器情報管理システムであって、
前記ＢＯＭの複数の階層のうち、前記複数のプラントの全てにおいて前記機器情報が必ず入力される前記階層の中で最下層の前記機器情報に対応する前記装置コードと、前記ＷＢＳの複数の階層のうち、前記最下層の前記機器情報に直接的に紐づく前記ＷＢＳの階層の前記作業情報に対応する前記作業コードとのみに対応したメンテナンスコードを生成するメンテナンスコード生成部と、
同一の前記メンテナンスコードに紐づく前記機器情報及び前記作業情報に対応する関連情報の文字列を分析する関連情報分析部と、
前記関連情報分析部が分析した前記文字列のうち、特定の文字列に対応したグループコードを生成し且つ前記グループコードを前記同一のメンテナンスコードに紐づく前記機器情報及び前記作業情報に紐づけるグループコード生成部と、
前記メンテナンスコード、前記グループコード、並びに、前記メンテナンスコードに紐づく前記機器情報及び前記作業情報を記憶する第一の記憶領域及び第二の記憶領域と、
前記メンテナンスコードに紐づく複数の前記ＢＯＭの階層の前記機器情報及び少なくとも前記最下層の前記機器情報に直接的に紐づく前記ＷＢＳの階層の前記作業情報を用いて、前記プラントの管理作業に関する処理を実行する業務アプリケーションとを有し、
前記第一の記憶領域は、ユーザにアクセス権があり、
前記第二の記憶領域は、前記ユーザにアクセス権がなく、
前記業務アプリケーションは、前記ユーザに対する前記処理を実行する場合、前記第一の記憶領域から前記メンテナンスコードまたは前記グループコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコードまたは前記グループコードに紐づく前記最下層の前記機器情報及び前記最下層の前記機器情報に直接的に紐づく前記ＷＢＳの階層の前記作業情報を抽出すること
を特徴とするプラント機器情報管理システム。
【請求項２】
第一の前記グループコードに対応する前記特定の文字列と第二の前記グループコードに対応する前記特定の文字列とが互いに異なり且つ互いの意味が同一である場合、共通グループコードを生成し且つ前記共通グループコードを前記第一及び第二のグループコードに紐づく前記機器情報及び前記作業情報に紐づける共通グループコード生成部
をさらに有し、
前記業務アプリケーションは、前記共通グループコードに紐づく前記機器情報及び前記作業情報を抽出すること
を特徴とする請求項１に記載のプラント機器情報管理システム。
【請求項３】
前記ユーザは第一の業者であり、
前記第一の記憶領域には、前記第一の業者が受注した又は受注予定の顧客の前記プラントに対応する前記機器情報及び前記作業情報が記憶され、
前記第二の記憶領域には、第二の業者が受注した又は受注予定の前記顧客の前記プラントに対応する前記機器情報及び前記作業情報が記憶され、
前記業務アプリケーションは、前記第一の業者の前記管理作業を実行する場合、前記第一の記憶領域から前記メンテナンスコード、前記グループコード、または前記共通グループコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコード、前記グループコード、または前記共通グループコードに紐づく前記最下層の前記機器情報及び前記最下層の前記機器情報に直接的に紐づく前記ＷＢＳの階層の前記作業情報を抽出すること
を特徴とする請求項２に記載のプラント機器情報管理システム。
【請求項４】
前記ユーザは第一の顧客であり、
前記第一の記憶領域には、業者が受注した又は受注予定の前記第一の顧客の前記プラントに対応する前記機器情報及び前記作業情報が記憶され、
前記第二の記憶領域には、前記業者が受注した又は受注予定の第二の顧客の前記プラントに対応する前記機器情報及び前記作業情報が記憶され、
前記管理作業は閲覧作業を含み、
前記業務アプリケーションは、前記第一の顧客の前記閲覧作業を実行する場合、前記第一の記憶領域から前記メンテナンスコード、前記グループコード、または前記共通グループコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコード、前記グループコード、または前記共通グループコードに紐づく前記最下層の前記機器情報及び前記最下層の前記機器情報に直接的に紐づく前記ＷＢＳの階層の前記作業情報を抽出すること
を特徴とする請求項２に記載のプラント機器情報管理システム。
【請求項５】
前記業務アプリケーションは、保全計画を作成する保全計画作成部であること
を特徴とする請求項１から請求項４のいずれか一項に記載のプラント機器情報管理システム。
【手続補正２】
【補正対象書類名】明細書
【補正対象項目名】０００７
【補正方法】変更
【補正の内容】
【０００７】
本発明のプラント機器情報管理システムは、複数のプラントの機器情報をＢＯＭにより管理し、前記ＢＯＭの複数の階層に対応して入力された前記機器情報にそれぞれ対応する装置コードが設定され、前記プラントに対して行う作業情報をＷＢＳにより管理し、前記ＷＢＳの複数の階層に対応して入力された前記作業情報にそれぞれ対応する作業コードが設定されるプラント機器情報管理システムであって、前記ＢＯＭの複数の階層のうち、前記複数のプラントの全てにおいて前記機器情報が必ず入力される前記階層の中で最下層の前記機器情報に対応する前記装置コードと、前記ＷＢＳの複数の階層のうち、前記最下層の前記機器情報に直接的に紐づく前記ＷＢＳの階層の前記作業情報に対応する前記作業コードとのみに対応したメンテナンスコードを生成するメンテナンスコード生成部と、同一の前記メンテナンスコードに紐づく前記機器情報及び前記作業情報に対応する関連情報の文字列を分析する関連情報分析部と、前記関連情報分析部が分析した前記文字列のうち、特定の文字列に対応したグループコードを生成し且つ前記グループコードを前記同一のメンテナンスコードに紐づく前記機器情報及び前記作業情報に紐づけるグループコード生成部と、前記メンテナンスコード、前記グループコード、並びに、前記メンテナンスコードに紐づく前記機器情報及び前記作業情報を記憶する第一の記憶領域及び第二の記憶領域と、前記メンテナンスコードに紐づく複数の前記ＢＯＭの階層の前記機器情報及び少なくとも前記最下層の前記機器情報に直接的に紐づく前記ＷＢＳの階層の前記作業情報を用いて、前記プラントの管理作業に関する処理を実行する業務アプリケーションとを有し、前記第一の記憶領域は、ユーザにアクセス権があり、前記第二の記憶領域は、前記ユーザにアクセス権がなく、前記業務アプリケーションは、前記ユーザに対する前記処理を実行する場合、前記第一の記憶領域から前記メンテナンスコードまたは前記グループコードに紐づく複数の前記ＢＯＭの階層の前記機器情報及び少なくとも前記最下層の前記機器情報に直接的に紐づく前記ＷＢＳの階層の前記作業情報を抽出するとともに、前記第二の記憶領域から共用可能であり且つ前記メンテナンスコードまたは前記グループコードに紐づく前記最下層の前記機器情報及び前記最下層の前記機器情報に直接的に紐づく前記ＷＢＳの階層の前記作業情報を抽出することを特徴とする。
【手続補正３】
【補正対象書類名】明細書
【補正対象項目名】０００９
【補正方法】変更
【補正の内容】
【０００９】
また、この構成によれば、同一のメンテナンスコードに紐づく複数のプラント情報のうち、グループコードに紐づくプラント情報に絞り込んで抽出することができる。
従って、秘密情報の流出を防止しつつプラント情報を共用可能とするプラント機器情報管理システムでありながら、プラント情報をより効率良く抽出することができるので管理作業の実行時間を短縮し、作業効率を改善したプラント機器情報管理システムを提供することができる。